(57)【要約】【課題】かごに設置された制御装置内の温度を所定温度範囲内に保つことで、制御装置内の各機器の寿命を安定させ、交換時期を適切に判断できるエレベータ装置を提供する【解決手段】かご内を空調するための空調装置と、空調装置で調和された調和空気をかご内へ導風する導風路に設けられた第１の分流手段を介して前記導風路の外へ分流させる第１のダクトと、空調装置で吸熱又は排熱された排気空気を昇降路に排出する排風路に設けられた第２の分流手段を介して排風路の外へ分流させる第２のダクトと、第１及び第２のダクトが接続される筺体を有し、筺体内にはかごに設けられた各種機器の制御を行う制御部と制御部近傍の温度を測定する温度測定手段が設けられた制御装置と、温度測定手段で測定された温度に応じて前記第１及び第２の分流手段を制御する分流制御手段を備える。【選択図】  図１
2017013987.tif 000002
【特許請求の範囲】
【請求項１】
かご内を空調するための空調装置と、
前記空調装置で調和された調和空気を前記かご内へ導風する導風路に設けられた第１の分流手段を介して前記導風路の外へ分流させる第１のダクトと、
前記空調装置で吸熱又は排熱された排気空気を昇降路に排出する排風路に設けられた第２の分流手段を介して前記排風路の外へ分流させる第２のダクトと、
前記第１及び第２のダクトが接続される筺体を有し、該筺体内には、前記かごに設けられた各種機器の制御を行う制御部と該制御部近傍の温度を測定する温度測定手段が設けられた制御装置と、
前記温度測定手段で測定された温度に応じて前記第１及び第２の分流手段を制御する分流制御手段と、を備えたことを特徴とするエレベータ装置。
【請求項２】
前記分流制御手段は、前記かごが休止モードの場合には、前記第１の分流手段を前記調和空気が前記第１のダクト側に送られるように制御し、前記第２の分流手段を前記温度測定手段で測定された温度に応じて制御することを特徴とする請求項１に記載のエレベータ装置。
【請求項３】
前記第１のダクトと前記第２のダクトは、前記筺体の外部で合流された後、前記筺体に接続されることを特徴とする請求項１または請求項２に記載のエレベータ装置。
【発明の詳細な説明】
【技術分野】
【０００１】
本発明は、かご内を空調するための空調装置と、かごに設けられた各種機器の制御を行う制御装置が、かごに設けられたエレベータ装置に係るものである。
【背景技術】
【０００２】
従来のエレベータ装置は、かごとかごに設けられた空調装置及び制御装置とを備え、空調装置からかご内に吹き出された空気を用いて、制御装置の内部を冷却する技術が提案されている（たとえば特許文献１参照）。
【先行技術文献】
【特許文献】
【０００３】
【特許文献１】特開２００２−２２０１６６号公報
【発明の概要】
【発明が解決しようとする課題】
【０００４】
しかしながら、従来のエレベータ装置は、制御装置内の冷却のみを行っており、制御装置内温度の管理までは行っていないため、制御装置内部の、寿命に温度依存性のある機器や部品が寿命に至る時期の推定が難しく、制御装置内機器の適切な交換時期の判定が困難であることを見出した。
【０００５】
本発明は上記のような課題を解決するためになされたものであり、制御装置内の温度を所定温度範囲内に保つことで、制御装置内の各機器の寿命が安定し長寿命化が図れるとともに、交換時期を適切に判断できるエレベータ装置を提供するものである。
【課題を解決するための手段】
【０００６】
本発明のエレベータ装置は、かご内を空調するための空調装置と、空調装置で調和された調和空気をかご内へ導風する導風路に設けられた第１の分流手段を介して前記導風路の外へ分流させる第１のダクトと、空調装置で吸熱又は排熱された排気空気を昇降路に排出する排風路に設けられた第２の分流手段を介して排風路の外へ分流させる第２のダクトと、第１及び第２のダクトが接続される筺体を有し、筺体内にはかごに設けられた各種機器の制御を行う制御部と制御部近傍の温度を測定する温度測定手段が設けられた制御装置と、温度測定手段で測定された温度に応じて前記第１及び第２の分流手段を制御する分流制御手段を備える。
【発明の効果】
【０００７】
上記のように構成されたエレベータ装置は、第１及び第２のダクトから調和空気と排気空気を取り入れて制御装置内の温度を所定温度範囲内に保つことで、制御装置内の各機器の寿命が安定し長寿命化が図れるとともに、交換時期を適切に判断できる。
【図面の簡単な説明】
【０００８】
【図１】本発明の実施の形態１のエレベータ装置の機器構成図である。
【図２】本発明の実施の形態１のエレベータ装置の制御ブロック図である。
【図３】本発明の実施の形態１の制御フローチャートである。
【図４】本発明の実施の形態１の制御フローチャートである。
【図５】本発明の実施の形態１の制御フローチャートである。
【図６】本発明の実施の形態２のエレベータ装置の機器構成図である。
【発明を実施するための形態】
【０００９】
実施の形態１．
以下、図面に基づいて本発明の実施の形態１について詳細に説明する。図１は、本発明の実施の形態１のエレベータ装置の機器構成図である。かご１の上には、かご１に備えられた各種機器の制御を行う制御装置としてのかご上制御装置２０と、かご１内の空調を行うための空調装置３０が備えられている。
【００１０】
かご上制御装置２０は、防塵構造の筺体２１を有し、筺体２１の内部には、かご１の出入口を開閉するドアの開閉制御を行ったり、かご１内のアナウンス放送や照明装置の制御等を行ったりする制御部としてかご上制御基板２２が収納されている。このかご上制御基板２２には、通電されることにより発熱する半導体部品や、コンデンサ、抵抗器等が多数搭載されている。ここで半導体部品やコンデンサは、一般的に温度変動が大きくなるにつれ寿命が短くなる部品である。さらに、この筺体２１内部のかご上制御基板２２の近傍には温度を測定する温度測定手段として温度センサ２３が設置されている。
【００１１】
ヒートポンプ方式の空調装置３０は、かご１内へ調和空気６を送風するためのかご内用送風機３１及びかご内用熱交換器３２と、かご１の外側の昇降路５０へ排気空気４３を排出するためのかご外用送風機３３及びかご外用熱交換器３４と、かご内用熱交換器３２とかご外用熱交換器３４とをつなぐ配管３５の中の冷媒を循環させる圧縮機３６及び膨張弁３７を備えている。
【００１２】
この空調装置３０の制御を行う空調制御部３８からかご内用送風機３１が作動されることにより、かご１の天井に設けられたかご吸込口２からかご内側吸込ダクト３を介して流入された空気は、かご内用熱交換器３２で調和される。調和された調和空気６は、かご１内へ導風する導風路としてのかご内側吹出ダクト４を介して、かご１の天井に設けられたかご吹出口５から流出されることによりかご１内の空調が行われる。
【００１３】
また同時に、空調制御部３８からかご外用送風機３３が作動されることにより、空調装置３０の吸気口３９から流入された空気は、かご外用熱交換器３４で吸熱または排熱が行われる。吸熱または排熱が行われた排気空気４３は、昇降路５０に排出する排風路としてのかご外側排気ダクト４１を介して、排気口４２から昇降路５０へ流出される。
【００１４】
ここで、かご内側吹出ダクト４の途中には、調和空気６をかご吹出口５以外の第１のダクト７に分流させるための第１の分流手段としてかご内側調整弁８が設けられている。またかご外側排気ダクト４１の途中には、排気空気４３を排気口４２以外の第２のダクト９に分流させるための第２の分流手段としてかご外側調整弁１０が設けられている。このかご内側調整弁８及びかご外側調整弁１０は、分流制御手段としての分流制御部１１により制御される。
【００１５】
かご内側調整弁８は、図１の点線で示す全開位置と、一点鎖線で示す全閉位置との間を多段階に回動制御される。ここでかご内側調整弁８が全開位置にある時には、かご内用送風機３１から送られた調和空気６は全て第１のダクト７側に送られ、かご吹出口５側には送られない。これとは逆にかご内側調整弁８が全閉位置にある時には、かご内用送風機３１から送られた調和空気６は全てかご吹出口５側に送られ、第１のダクト７側には送られない。かご内側調整弁８が、この全開位置と全閉位置との間にある時には、回動の角度に応じて調和空気６がかご吹出口５側と第１のダクト７側に分流される。
【００１６】
かご外側調整弁１０は、図１の点線で示す全開位置と、一点鎖線で示す全閉位置との間を多段階に回動制御される。ここでかご外側調整弁１０が全開位置にある時には、かご外用送風機３３から送られた排気空気４３は全て第２のダクト９側に送られ、排気口４２側には送られない。これとは逆にかご外側調整弁１０が全閉位置にある時には、かご外用送風機３３から送られた排気空気４３は全て排気口４２側に送られ、第２のダクト９側には送られない。かご外側調整弁１０が、この全開位置と全閉位置の間にある時には、回動の角度に応じて排気空気４３が排気口４２側と第２のダクト９側に分流される。
【００１７】
第１のダクト７のかご内側調整弁８側と反対側は、筺体２１に接続されている。また、第２のダクト９のかご外側調整弁１０側と反対側も、筺体２１に接続されている。筺体２１の第１のダクト７及び第２のダクト９が接続された面と反対側の面には、防塵フィルタ２４が設置された通気口２５が設けられ、筺体２１内の空気が排出できるようになっている。
【００１８】
図２は、空調装置３０の制御を行う空調制御部３８と、かご内側調整弁８及びかご外側調整弁１０の制御を行う分流制御部１１の制御ブロック図を示す。
【００１９】
空調制御部３８は、エレベータ全体の制御を行うエレベータ制御装置６０から入力される運転モード信号６０ａ及び休止モード信号６０ｂと、かご吸込口２近傍のかご内側吸込ダクト３内に設置されたかご内温度設定部１２に設定された設定温度と、かご内温度センサ１３で測定された測定温度に基づいて、かご内用送風機３１及びかご外用送風機３３の風量調整と、圧縮機３６及び膨張弁３７の制御を行う。
【００２０】
かご内温度設定部１２には、図示しない赤外線リモコンからの赤外線信号を受信する受信部１２ａを備えている。赤外線リモコンを所持した操作者が、かご１内からかご吸込口２に向けて赤外線リモコンを操作して設定した温度がかご内温度設定部１２に設定される。この設定された設定温度と、かご内温度センサ１３で測定された測定温度が空調制御部３８に入力される。
【００２１】
ここでは、赤外線リモコンで設定温度を指定するかご内温度設定部１２を例にして説明したが、かご内温度設定手段はこれに限定されることなく、かご１内の所定位置に設けられ、手動で温度が設定できる温度設定器であっても良い。
【００２２】
分流制御部１１は、エレベータ制御装置６０から入力される運転モード信号６０ａ及び休止モード信号６０ｂと、空調制御部３８から入力される冷房モード中信号３８ａ及び暖房モード中信号３８ｂと、筺体２１内に設置された温度センサ２３から入力される測定温度に基づいて、かご内側調整弁８とかご外側調整弁１０の調整を行う。ここで、図１では、分流制御部１１がかご上制御装置２０の内部に設けられた例を示しているが、分流制御部１１の設置場所はかご上制御装置２０の内部に限定されず、かご上制御装置２０の外部であっても良いし、空調制御部３８と一体化されていても良い。
【００２３】
以上のように構成されたエレベータ装置の動作について、図１と図２を参照しながら図３から図５のフローチャートで説明する。まず空調制御部３８の制御による空調装置３０の動作について説明する。図３のフローチャートにおいて、エレベータが設置されたビルの設備側からエレベータに対して電力が供給され、ステップＳ１０１で、空調装置３０の電源がオンされると空調制御部３８は、かご内温度センサ１３から入力されるかご内温度と、空調モードを決定するために予め決められた基準温度とを比較し、かご内温度が基準温度以上の場合には空調装置３０の空調モードを冷房モードに、基準温度未満の場合には空調装置３０の空調モードを暖房モードに設定する。
【００２４】
冷房モードでは、配管３５の中を流れる冷媒が圧縮機３６を介してかご内用熱交換器３２からかご外用熱交換器３４の方向に循環する冷凍サイクルが実行され、暖房モードでは、配管３５の中を流れる冷媒が圧縮機３６を介してかご外用熱交換器３４からかご内用熱交換器３２の方向に循環する冷凍サイクルが実行される。
【００２５】
ここで基準温度を例えば２０℃としたときに、ステップＳ１０２でかご内温度が２０℃以上であった場合には、ステップＳ１０３で空調モードを冷房モードに移行する。これに対してかご内温度が２０℃未満であった場合には、ステップＳ１０４で空調モードを暖房モードに移行する。次に空調制御部３８は、ステップＳ１０５でかご内用送風機３１とかご外用送風機３３の風量を小に設定する。これは、ステップＳ１０６でかご１が運転されていない休止モードから、かご１が運転される運転モードに移行するまでの間継続される。
【００２６】
以上の説明では、空調装置３０の空調モードを決定するための基準温度と比較する温度として、かご内温度センサ１３から入力されるかご内温度を用いたが、これに限定されることなく、空調装置３０の外側に設けた外部温度センサから入力される昇降路５０内の測定温度を用いても良い。
【００２７】
エレベータ全体の制御を行うエレベータ制御装置６０と空調装置３０に電力が供給開始された後、しばらくするとエレベータの動作が可能な状態となる。その後、利用客により乗場の呼び登録釦（図示しない）が押されると、エレベータ制御装置６０は、かご１の動作を休止モードから運転モードに移行する。
【００２８】
ステップＳ１０６でエレベータ制御装置６０から空調制御部３８に運転モード信号６０ａが入力されると、空調制御部３８はステップＳ１０７で空調モードが冷房モードの場合には、ステップＳ１０８でかご内温度センサ１３から入力されるかご内温度と、かご内温度設定部１２の設定温度とを比較し、かご内温度が設定温度以上の場合には、ステップＳ１１０でかご内用送風機３１とかご外用送風機３３の風量を大にする。これに対してかご内温度が設定温度未満の場合には、ステップＳ１１１でかご内用送風機３１とかご外用送風機３３の風量を小にする。
【００２９】
ステップＳ１０７で空調モードが冷房モードではなく暖房モードの場合には、ステップＳ１０９でかご内温度センサ１３から入力されるかご内温度と、かご内温度設定部１２の設定温度とを比較し、かご内温度が設定温度以下の場合には、ステップＳ１１０でかご内用送風機３１とかご外用送風機３３の風量を大にする。これに対してかご内温度が設定温度より高い場合には、ステップＳ１１１でかご内用送風機３１とかご外用送風機３３の風量を小にする。これは、ステップＳ１１２でエレベータ制御装置６０から休止モード信号６０ｂが入力されるまでの間ステップＳ１０７からステップＳ１１２のフローが繰り返し実行される。
【００３０】
最後のかご呼びによるかご運転サービスが終了してから、新しい乗場呼びが数分間検知されない場合には、エレベータ制御装置６０は、かご１を運転モードから休止モードにして省エネルギー化を図る。ステップＳ１１２でかご１が休止モードになると、ステップＳ１０５に移行し、かご内用送風機３１とかご外用送風機３３の風量を小にする。このようにして、かご１が運転中の場合には、かご内温度に応じて風量の大小を設定し、かご１内を適切な温度に保つとともに、かご１の休止中は、できるだけ省エネルギー化を図るため、風量を小にする。ここでは、かご内用送風機３１とかご外用送風機３３の風量の設定を大または小に切換える方式について説明したが、かご内温度と設定温度の差分に応じて、風量の設定を大と小の中間に複数設定するようにしても良い。
【００３１】
次に分流制御部１１の制御による、かご内側調整弁８とかご外側調整弁１０の動作について説明する。図４のフローチャートにおいて、ビルの設備側からエレベータに対して電力が供給され、ステップＳ２０１で、かご上制御装置２０及び分流制御部１１の電源がオンされると、分流制御部１１はかご内側調整弁８を全開位置に回動させ、かご外側調整弁１０を全閉位置に回動させる（ステップＳ２０２）。これにより、かご内用送風機３１から送られた調和空気６は全て第１のダクト７側に送られ、筺体２１内の空調が開始される。電力が供給された直後は、かご１は休止モード中であり、かご１内を空調する必要は無いため、空調装置３０は筺体２１内の空調のためだけに使用される。
【００３２】
ステップＳ２０３で空調装置３０の空調モードが冷房モードの場合に、空調制御部３８から冷房モード中信号３８ａを入力された分流制御部１１は、ステップＳ２０４で温度センサ２３から入力される筺体２１内部の温度Ｔａと、予め決められた所定温度範囲とを比較し、所定温度範囲未満となったら、ステップＳ２０６でかご外側調整弁１０を全開位置側へ１段階回動させて、第２のダクト９から、第１のダクト７内よりも温度の高い排気空気４３を筺体２１内へ送り込むことで、筺体２１内を暖める。
【００３３】
これに対して、ステップＳ２０３で空調装置３０の空調モードが冷房モードではなく暖房モードの場合に、空調制御部３８から暖房モード中信号３８ｂを入力された分流制御部１１は、ステップＳ２０５で温度センサ２３から入力される筺体２１内部の温度Ｔａと、予め決められた所定温度範囲とを比較し、所定温度範囲より高くなったら、ステップＳ２０６でかご外側調整弁１０を全開位置側へ１段階回動させて、第２のダクト９から、第１のダクト７内より温度の低い排気空気４３を筺体２１内へ送り込むことで、筺体２１内を冷やす。
【００３４】
ここで所定温度範囲とは、筺体２１内に収納されたかご上制御基板２２に搭載された半導体部品やコンデンサの寿命が、温度変動による影響を受けにくい温度であり、例えば１５℃から２０℃といったように設定される。この所定温度範囲の値は、実際に使用される半導体部品やコンデンサ等の仕様に応じて分流制御部１１に予め登録しておく。
【００３５】
第２のダクト９から排気空気４３が筺体２１内へ送り込まれても、すぐには筺体２１内の温度は変化しないため、一定時間経過した後に筺体２１内部の温度Ｔａを計測する。ここでは一定時間を例えば３０秒とした場合について説明する。ステップＳ２０７で、タイマＴ１に一定時間として３０秒を設定する。次にステップＳ２０８で、エレベータ制御装置６０から分流制御部１１に休止モード信号６０ｂが入力されている場合には、ステップＳ２０９で１秒経過したらタイマＴ１から１を減じる。ステップＳ２１０でタイマＴ１が０でない場合にはステップＳ２０８に戻る。ステップＳ２１０でタイマＴ１が０となったら、ステップＳ２１１で筺体２１内部の温度Ｔａが所定温度範囲か否かを判定し、所定温度範囲内の場合にはステップＳ２０７に戻る。
【００３６】
ステップＳ２１１にて筺体２１内部の温度Ｔａが基準温度範囲内でない場合には、ステップＳ２１２で空調モードが冷房モードの場合に分流制御部１１は、ステップＳ２１３で筺体２１内部の温度Ｔａと所定温度範囲とを比較し、筺体２１内部の温度Ｔａが所定温度範囲未満の場合には、ステップＳ２０６に戻りかご外側調整弁１０を全開位置側へ１段階回動させて、第２のダクト９から、第１のダクト７内より温度の高い排気空気４３を筺体２１内へ送り込むことで、筺体２１内を暖める。ステップＳ２１３で筺体２１内部の温度Ｔａが所定温度範囲より高い場合には、ステップＳ２１５でかご外側調整弁１０を全閉位置側へ１段階回動させて、第２のダクト９から筺体２１内へ送り込まれる排気空気４３を減少させることで筺体２１内を冷やしてステップＳ２０７へ戻る。
【００３７】
これに対して、ステップＳ２１２で空調装置３０の空調モードが冷房モードではなく暖房モードの場合に分流制御部１１は、ステップＳ２１４で筺体２１内部の温度Ｔａが基準温度範囲より高い場合には、ステップＳ２０６に戻りかご外側調整弁１０を全開位置側へ１段階回動させて、第２のダクト９から、第１のダクト７より温度の低い排気空気４３を筺体２１内へ送り込むことで、筺体２１内を冷やす。ステップＳ２１４で筺体２１内部の温度Ｔａが所定温度範囲未満の場合には、ステップＳ２１５でかご外側調整弁１０を全閉位置側へ１段階回動させて、第２のダクト９から筺体２１内へ送り込まれる排気空気４３を減少させることで筺体２１内を暖める。
【００３８】
このようにかご外側調整弁１０を調整することで筺体２１内の温度を所定温度範囲内に抑えることができる。以上はかご１が休止モードの時に、かご内側調整弁８は全開位置のままでかご外側調整弁１０のみを開閉制御して筺体２１内の温度を所定温度範囲内に抑えるものである。
【００３９】
これに対して、かご１が休止モードから運転モードに移行し、ステップＳ２０８でエレベータ制御装置６０から分流制御部１１に運転モード信号６０ａが入力されている場合には、図５のステップＳ２２１へ移行し、かご内側調整弁８を全閉位置よりも全開位置側へ１段階回動させた位置とし、かご外側調整弁１０を全閉位置にする。これは、かご１が運転モードになると、かご１内の温度を設定温度にするために、かご内用送風機３１から送られる調和空気６をかご１内に優先的に送るためである。
【００４０】
ステップＳ２２１でかご内側調整弁８とかご外側調整弁１０を調整しても、すぐには筺体２１内の温度は変化しないため、一定時間経過した後に筺体２１内部の温度Ｔａを計測する。ここでは一定時間を例えば３０秒とした場合について説明する。ステップＳ２２２で、タイマＴ２に３０秒を設定する。次にステップＳ２２３で、エレベータ制御装置６０から分流制御部１１に運転モード信号６０ａが入力されている場合には、ステップＳ２２４で１秒経過したらタイマＴ２から１を減じる。ステップＳ２２５でタイマＴ２が０でない場合にはステップＳ２２３に戻る。ステップＳ２２５でタイマＴ２が０となったら、ステップＳ２２６で筺体２１内部の温度Ｔａが基準温度範囲か否かを判定し、基準温度範囲内の場合にはステップＳ２２２に戻る。
【００４１】
ステップＳ２２６にて筺体２１内部の温度Ｔａが基準温度範囲内でない場合には、ステップＳ２２７で空調モードが冷房モードの場合に分流制御部１１は、ステップＳ２２８で筺体２１内部の温度Ｔａと所定温度範囲とを比較し、筺体２１内部の温度Ｔａが所定温度範囲より高い場合には、ステップＳ２３０でかご内側調整弁８を全開位置側へ１段階回動させると共にかご外側調整弁１０を全閉位置側へ１段階回動させて、第２のダクト９内より温度の低い第１のダクト７からの調和空気６の流量を増やすことで、筺体２１内を冷やす。ステップＳ２２８で筺体２１内部の温度Ｔａが基準温度範囲より低い場合には、ステップＳ２３１でかご内側調整弁８を全閉位置側へ１段階回動させると共にかご外側調整弁１０を全開位置側へ１段階回動させて、第１のダクト７内より温度の高い第２のダクト９からの排気空気４３の流量を増やすことで、かご上制御装置２０内を暖める。次にステップＳ２２２へ移行する。
【００４２】
ステップＳ２２７で空調装置３０の空調モードが冷房モードではなく暖房モードの場合に分流制御部１１は、ステップＳ２２９で筺体２１内部の温度Ｔａと所定温度範囲とを比較し、筺体２１内部の温度Ｔａが所定温度範囲より低い場合には、ステップＳ２３０でかご内側調整弁８を全開位置側へ１段階回動させると共にかご外側調整弁１０を全閉位置側へ１段階回動させて、第２のダクト９内より温度の高い第１のダクト７からの調和空気６の流量を増やすことで、筺体２１内を暖める。ステップＳ２２９で筺体２１内部の温度Ｔａが基準温度範囲より高い場合には、ステップＳ２３１でかご内側調整弁８を全閉位置側へ１段階回動させると共にかご外側調整弁１０を全開位置側へ１段階回動させて、第１のダクト７内より温度の低い第２のダクト９からの排気空気４３の流量を増やすことで、かご上制御装置２０内を冷やす。次にステップＳ２２２へ移行する。
【００４３】
ステップＳ２２３でエレベータ制御装置６０から分流制御部１１に運転モード信号６０ａではなく休止モード信号６０ｂが入力された場合には、図４のステップＳ２０２へ移行し、休止モード中の、かご１内を空調せず、空調装置３０は筺体２１内の空調のためだけに使用されるモードに移行する。
【００４４】
以上のように構成された実施の形態１のエレベータ装置は、かご１内を空調するための空調装置３０と、空調装置３０で調和された調和空気６をかご１内へ導風するかご内側吹出ダクト４に設けられたかご内側調整弁８を介してかご内側吹出ダクト４の外へ分流させる第１のダクト７と、空調装置３０で吸熱又は排熱された排気空気４３を昇降路５０に排出するかご外側排気ダクト４１に設けられたかご外側調整弁１０を介してかご外側排気ダクト４１の外へ分流させる第２のダクト９と、第１及び第２のダクトが接続される筺体２１を有し、筺体２１内にはかご１に設けられた各種機器の制御を行うかご上制御基板２２とかご上制御基板２２近傍の温度を測定する温度センサ２３が設けられたかご上制御装置２０と、温度センサ２３で測定された温度に応じてかご内側調整弁８及びかご外側調整弁１０を制御する分流制御部１１を備える。
【００４５】
これにより、第１のダクト７及び第２のダクト９から調和空気６と排気空気４３を取り入れてかご上制御装置２０の温度を所定温度範囲内に保つことで、かご上制御装置２０の各機器の寿命が安定し長寿命化が図れるとともに、交換時期を適切に判断できる。
【００４６】
また、分流制御部１１は、かご１が休止モードの場合には、かご内側調整弁８を調和空気６が第１のダクト７側に送られるように制御し、かご外側調整弁１０を温度センサ２３で測定された温度に応じて制御を行う。
【００４７】
かご１が休止モード中には、かご１内を空調する必要は無いため、空調装置３０の調和空気６を筺体２１内の空調のためだけに使用することで、効率的にかご上制御装置２０の温度を所定温度範囲内に保つことができる。
【００４８】
実施の形態２．
図６は、本発明の実施の形態２のエレベータ装置の機器構成図である。実施の形態２のエレベータ装置は、実施の形態１のエレベータ装置に対して、第１のダクト７ａと第２のダクト９ａを筺体２１に接続する箇所の構成が異なるのみで、それ以外の部分については実施の形態１と同じでありそれぞれの構成の説明は省略する。
【００４９】
図６において、第１のダクト７ａのかご内側調整弁８側と反対側と、第２のダクト９ａのかご外側調整弁１０側と反対側とは、筺体２１に接続される手前で合流した後に筺体２１に接続されている。このように筺体２１に対して、暖かい空気と冷たい空気を個別に送り込むのではなく、混合してから送り込むことで筺体２１内の温度の不均衡を減少させることができる。
【００５０】
以上のように構成された実施の形態２のエレベータ装置は、第１のダクト７ａと第２のダクト９ａは、筺体２１の外部で合流された後筺体２１に接続されている。このようにすることで、筺体２１内の温度の不均衡を減少させることができる。
【符号の説明】
【００５１】
１  かご、４  かご内側吹出ダクト、６  調和空気、７、７ａ  第１のダクト、８  かご内側調整弁、９、９ａ  第２のダクト、１０  かご外側調整弁、１１  分流制御部、２０  かご上制御装置、２１  筺体、２２  かご上制御基板、２３  温度センサ、３０  空調装置、４１  かご外側排気ダクト、４３  排気空気、５０  昇降路
【図１】
2017013987.tif 000003
【図２】
2017013987.tif 000004
【図３】
2017013987.tif 000005
【図４】
2017013987.tif 000006
【図５】
2017013987.tif 000007
【図６】
2017013987.tif 000008